(57)【要約】【課題】パチンコ機の球抜き装置において、部品点数を削減して経済性を高めると共に、レバー部材の組付けを容易にして作業性の向上を図る。【解決手段】景品球タンク３の景品球を景品球払出装置６に導く球流路５４ａ〜５４ｂに球抜き口５７を設け、該球抜き口５７に可動底板８と、該可動底板８を球抜き口５７を閉じる位置に拘束する係合レバー９と、回動により係合レバー９を介して可動底板８の拘束を解除するレバー部材１０とを設け、一方、レバー部材１０が軸支される支持部２４に該レバー部材１０に接触する弾性片３０，３０ａを設け、該弾性片３０，３０ａによりレバー部材１０を回動付勢して係合レバー９を介して可動底板８を球抜き口５７を閉じる位置に拘束するようにした。【選択図】図３
2004136119.tif 000002
【特許請求の範囲】
【請求項１】
　景品球タンクの景品球を景品球払出装置に導く球流路に球抜き口を設け、該球抜き口に可動底板と、該可動底板を球抜き口を閉じる位置に拘束する係合レバーと、回動により係合レバーを介して可動底板の拘束を解除するレバー部材とを設け、該レバー部材はレバー片部の基部両側に形成された一対の軸受片に突設された軸と、該レバー片部から突出していて前記係合レバーの長孔に臨む連係ピンと、細帯片状の弾性片とが合成樹脂により一体に成形されたものであり、該軸を軸受部に軸支し前記弾性片を支持部に当接させることにより該レバー部材を回動付勢して係合レバーを介して可動底板を球抜き口を閉じる位置に拘束することを特徴とするパチンコ機の球抜き装置。
【発明の詳細な説明】
【技術分野】
【０００１】
　本発明は、パチンコ機の裏面上部に配設される景品球タンクの景品球を球抜きするための球抜き装置に関するものである。
【背景技術】
【０００２】
　従来、この種のパチンコ機の球抜き装置としては、例えば実公平４−１３０２３号公報に記載のものが知られている。このパチンコ機の球抜き装置は、図１３ないし図１５に示すように景品球タンクの景品球を景品球払出装置１００に導くカーブレール１０１に球抜き口１０２を設け、該球抜き口１０２に可動底板１０３と、該可動底板１０３を球抜き口１０２を閉じる位置に拘束する係合レバー１０５と、該係合レバー１０５に連係するレバー部材１０６とを設け、該レバー部材１０６をこれの軸１０７に装着したコイルばね１０８の付勢に抗して回動することにより係合レバー１０５を回動して可動底板１０３の係合を外し、それによって該可動底板１０３をフリー状態として景品球タンクの景品球を球抜き樋１０４に球抜きするように構成されている。
【特許文献１】実公平４−１３０２３号公報
【発明の開示】
【発明が解決しようとする課題】
【０００３】
　従来の技術で述べたパチンコ機の球抜き装置において、特にレバー部材１０６の組付けは、これの軸受片１０９，１０９をカーブレール１０１と一体に形成された支持部１１０に臨ませ、一方、軸１０７を支持部１１０の軸孔１１２，１１２と軸受片１０９，１０９の軸孔１１３，１１３に挿通するのと同時的に該軸１０７にコイルばね１０８を装着し、さらに軸１０７の両端をＥリング１１１により抜止めを施こすことにより行なっていた。
【０００４】
　しかし、このようなレバー部材１０６の組付けにおいて、コイルばね１０８やＥリング１１１の装着作業は非常に手間が掛かって作業能率を著しく低下させていた。また、コイルばね１０８やＥリング１１１等の金属部品を使用することは部品点数を多くするばかりでなく高価でコストアップにつながるという問題点があった。
【０００５】
　本発明は、従来技術の有するこのような問題点にかんがみてなされたものであり、その目的とするところは、球抜き装置のレバー部材の組付けにおいて、コイルばねやＥリングを使用しないで該レバー部材を組付けることができるようにして作業性を向上すると共に、部品点数を削減して低コスト化を図ることができるようなパチンコ機の球抜き装置を提供するものである。
【課題を解決するための手段】
【０００６】
　上記目的を達成するために、本発明におけるパチンコ機の球抜き装置は、景品球タンクの景品球を景品球払出装置に導く球流路に球抜き口を設け、該球抜き口に可動底板と、該可動底板を球抜き口を閉じる位置に拘束する係合レバーと、回動により係合レバーを介して可動底板の拘束を解除するレバー部材とを設け、一方、レバー部材が軸支される支持部に該レバー部材に接触する弾性片を設け、該弾性片によりレバー部材を回動付勢して係合レバーを介して可動底板を球抜き口を閉じる位置に拘束するようにしたものである。
【０００７】
　また、前記レバー部材は合成樹脂により形成して弾性片を一体に備えさせ、該弾性片をレバー部材が軸支される軸支部に当接させることにより該レバー部材を回動付勢して可動底板を係合レバーを介して球抜き口を閉じる位置に拘束するようにするのが好ましい。
【０００８】
　さらに、前記レバー部材は、合成樹脂により形成すると共に、該レバー部材を支持部に軸支する軸と該支持部に当接する弾性片とを一体に備えさせ、一方、前記支持部にはレバー部材の軸を挿入する開口溝を有し、該開口溝の先端部は軸より狭い間隔で分離された軸受部として形成することによりレバー部材を回動自在に軸支し、さらに、レバー部材の弾性片により該レバー部材を回動付勢して可動底板を係合レバーを介して球抜き口を閉じる位置に拘束するようにするのが好ましい。
【発明の効果】
【０００９】
　レバー部材の支持部に設けた弾性片は、該レバー部材を回動付勢して係合レバーを介して可動底板を球抜き口を閉じる位置に確実に拘束する。これによって、従来レバー部材を回動付勢していたコイルばねが不要となり、該レバー部材の組付けが容易となって作業性を向上することができる。また、部品点数を減らすことができて低コスト化に約立つ。
【００１０】
　また、レバー部材を合成樹脂により形成すると共に、弾性片を一体に備えさせることにより、弾性片の弾発力が消滅したり破損してもレバー部材を交換するだけでよく、経済性を高めることが可能となる。
【００１１】
　さらに、弾性片と軸とを一体に備えさせたレバー部材は、該軸を支持部の開口溝に押し込んで狭い間隔を通過させることにより回動自在に軸支される。そして、弾性片は支持部に当接してレバー部材を確実に回動付勢するように機能する。これによつて、Ｅリングの使用による軸の抜け止めを不要としてレバー部材を容易に組付けることができると共に、部品点数を削減することができて高い経済性を得ることができる。
【実施例１】
【００１２】
　以下、本発明の一実施例を図面に基づいて説明する。図１は本発明が適用されるパチンコ機の裏面図、図２は本発明に係る球抜き装置が組付けられたカーブレール部分の斜視図であり、１は前面枠、１ａは遊技盤、２は遊技盤１ａの裏面に開閉自在に装着された合成樹脂製の機構板である。機構板２の裏面上部には景品球タンク３が固着される。景品球タンク３の下方にはタンクレール４が設けられる。タンクレール４の下流端は、球圧を弱めるためのカーブレール５を介して景品球払出装置６に接続されている。従って、景品球タンク３の景品球はタンクレール４、カーブレール５により整列されながら景品球払出装置６に導かれる。
【００１３】
　図３はカーブレール５の分解斜視図であり、外板５１と、裏板５２との間に仕切板５３，５３を重ね合わせて３条の球流路５４ａ，５４ｂ，５４ｃが形成されており、各球流路５４ａ〜５４ｃごとに球切れ検知用レバー５５およびこのレバー５５の押圧により作動するマイクロスイッチ５６が組み込まれている。また、各球流路５４ａ〜５４ｃの底面には共通した球抜き口５７が開設されており、該球抜き口５７の下方に球抜き通路５８が設けられている。この球抜き通路５８は、外板５１と裏板５２に形成された通路壁５９，５９によつて構成されている。
【００１４】
　前記球抜き口５７には、本発明に係る球抜き装置７が配設される。球抜き装置７は、可動底板８、係合レバー９およびレバー部材１０の三部材によって大略構成されている。可動底板８は、合成樹脂によりほぼくの字状に形成されており、その曲折部の一側に小径軸１１を、他方の一側には小径軸１１よりやゝ長い小径軸１２がそれぞれ一体に形成されている。一方、前記外板５１と裏板５２には、球抜き口５７の上流側口縁に可動底板８の小径軸１１，１２を軸支するための軸受筒１１ａ，１２ａがそれぞれ設けられ、小径軸１１を軸受筒１１ａに嵌挿し、やゝ長い小径軸１２を軸受筒１２ａに嵌挿することにより回動可能に装着されている。
【００１５】
　そして、可動底板８は、その上面に乗る球重量により下向き（図４鎖線参照）に回動して球抜き口５７を開放するように設けられると共に、曲折部より下方に延びる係合片部１３に環状をなす重錘部１４を形成して前記球重量から開放されるとその重錘部１４の作用力で球抜き口５７を閉じる位置（図４実線参照）に回動復帰するように構成されている。
【００１６】
　前記係合レバー９は、回転端の両側に同じ長さの枢軸部１５を形成すると共に、その枢軸部１５の一方の先端に小径軸１６を、枢軸部１５の他方の先端にはやゝ長い小径軸１７を突設して合成樹脂により一体に成形される。一方、前記外板５１と裏板５２には、前記軸受１１ａ，１２ａの下方に係合レバー９の小径軸１６，１７を軸支するための軸受筒１６ａ，１７ａが設けられ、小径軸１６を軸受け筒１６ａに嵌挿し、やゝ長い小径軸１７を軸受筒１７ａに嵌挿することにより回動可能に装着される。また、係合レバー９の上面には可動底板８の係合片部１３下端に係合して該可動底板８を球抜き口５７を閉じる位置に拘束するための係止突部１８が形成されている。また、係合レバー９の中央には溝１９があり、その側面に長孔２０が開設されている。
【００１７】
　なお、前記可動底板８および係合レバー９のやゝ長い小径軸１２および１７は、該可動底板８および係合レバー９をカーブレール５に組付ける際にこれらがぐらついたり傾いたりすることがないように安定した状態で軸受筒１２ａおよび１７ａに支持させることができ、作業性を向上させるのに役立つ。
【００１８】
　前記レバー部材１０は、金属板からなり、ほぼくの字状をなす幅広のレバー片部２１と、該レバー片部２１から側方へ突出して係合レバー９の長孔２０に臨む連係ピン２２と、一対の軸受片２３，２３とを有する。軸受片２３，２３はレバー片部２１の下端両側を直角に曲げ加工することによって得られ、軸挿通孔２３ａ，２３ａを有する。一方、前記カーブレール５の裏板５２には平面コ字形をなす支持部２４が一体に形成されており、該支持部２４の両側壁に軸挿通用の透孔２５，２５が設けられている。そして、支持部２４の透孔２５，２５に金属製の横軸２６を差渡し、この横軸２６に軸受片２３，２３の軸挿通孔２３ａ，２３ａを通して軸支することにより回動可能に装着される。２７，２７は横軸２６の両端に嵌めて該横軸２６の抜け止めを施こすためのＥリング、２８は前面枠１に穿設されたピン挿通孔２９に対応するようにレバー片部２１に形成された凹面部である。
【００１９】
　しかして、前記レバー部材１０の横軸２６にはコイルばねを巻付けて該レバー部材１０を回動付勢するのが通常であるが、本発明においては、前記裏板５２の支持部２４に、レバー部材１０のレバー片部２１に接触して該レバー部材１０を上向き（図５において時計回り方向）に回動付勢するための弾性片３０を設けている。この弾性片３０は後方に弯曲した舌状をなし、裏板５２の成形時に一体に形成される。なお、弾性片３０は例えば金属製の板ばねをインサートしたり、或いはビス止めするようにしてもよい。
【００２０】
　前記レバー部材１０は、弾性片３０により常には図４および図５実線位置に回動付勢されており、係合レバー９の長孔２０に突入する連係ピン２２により該係合レバー９を上方へ回動させてこれの係止突部１８に可動底板８の係合片部１３下端を係止し、該可動底板８を球抜き口５７を閉じる位置に拘束する。
【００２１】
　このように構成した球抜き装置において、景品球タンク３の景品球を抜取るには図５に示すようにパチンコ機の前面枠１前面からピン３１をピン挿通孔２９に差込んで弾性片３０の弾発力に抗してレバー部材１０のレバー片部２１を押す。なお、この際にレバー片部２１に形成された凹面部２８は、ピン３７の先端がほぼ中心に当接して該ピン３７の逃げを阻止するように機能し、これによってレバー部材１０の押圧動作を確実にする。これによって、レバー部材１０が図５鎖線のように下向き回動し、連係ピン２２により係合レバー９を図４鎖線のように下動してその係止突部１８による可動底板８の係合片部１３との係合を外す。このため、可動底板８はフリー状態となり上面に乗る球重量により小径軸１１，１２を支点として図４鎖線のように回動して球抜き口５７を開き景品球を球抜き通路５８に落下させて球抜きすることができる。
【００２２】
　そして、球抜き終了後に再びピン挿通孔２９にピン３７を差し込んでレバー部材１０を弾性片３０の弾発力に抗して下動させることにより可動底板８は重錘部１４の作用力で図４実線に示す球抜き口５７を閉じる位置に復帰し、また、レバー部材１０の押圧を解除することにより該レバー部材１０が弾性片３０の弾発力により図５実線位置に復帰し、同時に係合レバー９がその係止突部１８を係合片部１３に係合する位置に復帰して可動底板８を拘束する。
【００２３】
　以上のように構成された本発明の第１実施例に係るパチンコ機の球抜き装置は、レバー部材１０を軸支する支持部２４に弾性片３０を設け、該弾性片３０の弾発力によりレバー部材１０を回動付勢して係合レバー９を介して可動底板８を球抜き口５７を閉じる位置に拘束するようにしたものであるから、従来装置のようにレバー部材１０を回動付勢するためのコイルばねを使用する必要がなくなり、部品点数を減少することができて低コスト化に約立つ。また、コイルばねの面倒な取付作業も不用となり、作業性の向上を図ることができる。
【００２４】
　図６ないし図８は本発明の第２実施例を示すもので、この第２実施例が第１実施例と異なるところはレバー部材１０を金属板に代えて合成樹脂により形成すると共に、下端に細帯片状の弾性片３０ａを一体に備えさせたものである。この弾性片３０ａは、図７に示すように先端部分をカーブレール５の裏板５２に形成された通路壁５９の上面に接触状に位置させてレバー部材１０を上向きに回動付勢する作用力を付与するようにされている。他の構成は第１実施例と同じである。
【００２５】
　このように構成した第２実施例に係るパチンコ機の球抜き装置は、レバー部材１０と一体に弾性片３０ａを形成したものであるから、長期間の使用により例えば弾性片３０ａの弾発力が消滅したり折れて破損したような場合、第１実施例ではカーブレール５全体を取換える必要があるのに対し、レバー部材１０のみを取換えるだけで済み、非常に経済的となる。
【００２６】
　図９ないし図１２は本発明の第３実施例を示すもので、この第３実施例が第２実施例と異なるところはレバー部材１０の軸受片２３，２３の両外側に軸挿通孔２３ａ，２３ａに代えて軸３１，３１をそれぞれ一体に突設し、一方、支持部２４の両側壁に前記レバー部材１０の軸３１，３１を横方向から挿入する開口溝３２，３２を形成している。そして、開口溝３２，３２の先端部は軸３１，３１より狭い間隔３３，３３で分離された軸受部３４，３４として形成されている。前記狭い間隔３３，３３は、開口溝３２，３２の溝縁から僅かに突出させた三角状突起３５，３５によつて得られる。他の構成は第２実施例と同じである。
【００２７】
　このように構成した第３実施例のパチンコ機の球抜き装置は、レバー部材１０の軸３１，３１を支持部２４の開口溝３２，３２に押し込んで狭い間隔３３，３３を通過させることにより軸受部３４，３４に回動自在に軸支されることになる。そして、レバー部材１０と一体に軸３１，３１を形成することにより、第１および第２実施例のごとく金属製の横軸２６が不用となつて経済的であり、しかもＥリング２７，２７による抜け止め作業も不要となつてレバー部材１０の組付け作業が迅速かつ容易にできる。なお、図１０および図１２に示すように機構板２のカーブレール５取着面に突条３６を突設し、該突条３６を開口溝３２に嵌挿することによりレバー部材１０の軸３１の抜止めを施こすようにしている。
【図面の簡単な説明】
【００２８】
【図１】本発明が適用されるパチンコ機の裏面図である。
【図２】本発明に係る球抜き装置部分の斜視図である。
【図３】本発明に係る球抜き装置が組付けられたカーブレールの分解斜視図である。
【図４】本発明の球抜き装置を一部断面にして作用を説明する正面図である。
【図５】本発明の球抜き装置を一部断面にして作用を説明する側面図である。
【図６】本発明の第２実施例の球抜き装置部分の斜視図である。
【図７】図６の球抜き装置を一部断面にして示す側面図である。
【図８】図６の球抜き装置のレバー部材の斜視図である。
【図９】本発明の第３実施例の球抜き装置部分の斜視図である。
【図１０】図９の要部の分解斜視図である。
【図１１】図９の要部の側面図である。
【図１２】レバー部材の軸支部分の断面図である。
【図１３】従来の球抜き装置部分の斜視図である。
【図１４】図１３の球抜き装置を一部断面にして作用を説明する正面図である。
【図１５】図１３のレバー部材の軸支構造を示す断面図である。
【符号の説明】
【００２９】
　３　　　　　　　　景品球タンク
　６　　　　　　　　景品球払出装置
　５４ａ〜５４ｂ　　球流路
　５７　　　　　　　球抜き口
　７　　　　　　　　球抜き装置
　８　　　　　　　　可動底板
　９　　　　　　　　係合レバー
　１０　　　　　　　レバー部材
　２４　　　　　　　支持部
　３０，３０ａ　　　弾性片
　３１，３１　　　　軸
【図１】
2004136119.tif 000003
【図２】
2004136119.tif 000004
【図３】
2004136119.tif 000005
【図４】
2004136119.tif 000006
【図５】
2004136119.tif 000007
【図６】
2004136119.tif 000008
【図７】
2004136119.tif 000009
【図８】
2004136119.tif 000010
【図９】
2004136119.tif 000011
【図１０】
2004136119.tif 000012
【図１１】
2004136119.tif 000013
【図１２】
2004136119.tif 000014
【図１３】
2004136119.tif 000015
【図１４】
2004136119.tif 000016
【図１５】
2004136119.tif 000017